(57)【要約】      （修正有）【解決手段】ヘッド本体１および少なくとも一個の透明な軽質カバー２により組み立て構成される。ヘッド本体１には少なくともクラウン部において開口部１３が設けられる。透明な軽質カバー２は比重が１．５より小さい透明な軽質材料により製成され、その形状はヘッド本体１の開口部１３の形状に対応するように形成される。さらに透明な軽質カバー２の内面、またはヘッド本体１の内部空間１０の標示ゾーン１５に適当な文字、図案、符号、商標などの標示が形成される。【効果】透明な軽質カバーによりヘッド本体の上半部の重量を有効に減らすことができ、ゴルフクラブヘッドの全体の重心位置を下方および後方へ調整することが出来ると共に、ゴルフクラブヘッドの視覚の効果を高めることができる。【選択図】図１
2006020817.tif 000002
【特許請求の範囲】
【請求項１】
ヘッド本体（１）、少なくとも一個の開口部（１３）および少なくとも一個の透明な軽質カバー（２）により構成されるゴルフクラブヘッドの組立構造であって、ヘッド本体（１）にはフェース板（１１）とホーゼル（１２）が設けられ、フェース板（１１）はゴルフボールを打球するのに用いられ、ホーゼル（１２）はゴルフクラブのシャフトと結合するのに用いられ、少なくとも一個の開口部（１３）は少なくともヘッド本体（１）のクラウン部に形成され、開口部（１３）の内周縁には階段状部（１３０）が形成され、少なくとも一個の透明な軽質カバー（２）は比重が1.5ｇ／cm3より小さい透明な軽質材料により製成され、さらに透明な軽質カバー（２）の形状はヘッド本体（１）の開口部（１３）の形状に対応するように形成され、透明な軽質カバー（２）が開口部（１３）の階段状部（１３０）に結合された時、透明な軽質カバー（２）によりヘッド本体（１）の上半部の重量を有効に減らすことができるため、ゴルフクラブヘッドの全体の重心位置を下方および後方へ調整するのに役立つことができることを特徴とするゴルフクラブヘッドの組立構造。
【請求項２】
ヘッド本体（１）には他に少なくとも一個の収容室（１４）が設けられ、収容室（１４）はヘッド本体（１）の底部の後側に形成されることにより、収容室（１４）には少なくとも一個の重り（３）が収容されることを特徴とする請求項１記載のゴルフクラブヘッドの組立構造。
【請求項３】
開口部（１３）はヘッド本体（１）のクラウン部からトウ部へ延伸するように形成されることを特徴とする請求項１記載の振動吸収可能なゴルフクラブヘッドの構造。
【請求項４】
開口部（１３）はヘッド本体（１）のクラウン部からヒール部へ延伸するように形成されることを特徴とする請求項１記載の振動吸収可能なゴルフクラブヘッドの構造。
【請求項５】
開口部（１３）はヘッド本体（１）のクラウン部からソール部へ延伸するように形成されることを特徴とする請求項１記載のゴルフクラブヘッドの組立構造。
【請求項６】
透明な軽質カバー（２）は結晶性、非結晶性のエンジニアリングプラスチックから選択することができ、例えばポリエーテルイミド（ＰＥＩ）、ポリエーテルスルホン（ＰＥＳ）、ポリフェニレンサルファイド（ＰＰＳ）、ポリフタルアミド（ＰＰＡ）、ポリエーテルケトン（ＰＥＫ）、ポリエーテルエーテルケトン（ＰＥＥＫ）から選択することができることを特徴とする請求項１記載のゴルフクラブヘッドの組立構造。
【請求項７】
ヘッド本体（１）には内部空間（１０）が形成され、内部空間（１０）には内周壁において標示ゾーン（１５）が形成されることを特徴とする請求項１記載のゴルフクラブヘッドの組立構造。
【請求項８】
標示ゾーン（１５）は例えばインク印刷、ウォータージェット彫刻、機械彫刻、レーザー彫刻、ショットブラスト、貼り紙、一体鋳造の方式により製成されることを特徴とする請求項７記載のゴルフクラブヘッドの組立構造。
【請求項９】
透明な軽質カバー（２）の内面には標示ゾーン（２１）が形成されることを特徴とする請求項１記載のゴルフクラブヘッドの組立構造。
【請求項１０】
標示ゾーン（２１）は例えばインク印刷、レーザー彫刻、ショットブラスト、貼り紙、一体射出成形の方式により製成されることを特徴とする請求項９記載のゴルフクラブヘッドの組立構造。
【請求項１１】
開口部（１３）は階段状部（１３０）から延伸して少なくとも一個の支持リブ（１３１）が形成されることを特徴とする請求項１記載のゴルフクラブヘッドの組立構造。
【請求項１２】
支持リブ（１３１）の外表面には他に標示ゾーン（１３２）が形成されることを特徴とする請求項１１記載のゴルフクラブヘッドの組立構造。
【請求項１３】
標示ゾーン（１３２）は例えばインク印刷、ウォータージェット彫刻、機械彫刻、レーザー彫刻、ショットブラスト、貼り紙、一体鋳造の方式により製成されることを特徴とする請求項１２記載のゴルフクラブヘッドの組立構造。
【請求項１４】
透明な軽質カバー（２）は例えば色を有した透明な軽質材料により製成されることを特徴とする請求項１記載のゴルフクラブヘッドの組立構造。
【請求項１５】
透明な軽質カバー（２）は例えば凸面鏡状に形成されることを特徴とする請求項１記載のゴルフクラブヘッドの組立構造。
【請求項１６】
透明な軽質カバー（２）は例えば凹面鏡状に形成されることを特徴とする請求項１記載のゴルフクラブヘッドの組立構造。
【発明の詳細な説明】
【技術分野】
【０００１】
本発明はゴルフクラブヘッドの組立構造に関するもので、特に透明な軽質カバーを利用することによってゴルフクラブヘッドの重心調整の自由度と視覚の効果を増やすことができる組立構造に係るものである。
【背景技術】
【０００２】
従来のゴルフクラブヘッドの構造としては、ヘッド本体のクラウン部において開口部が設けられ、上記開口部の内側と外側にはそれぞれ適当な強度を有した平板材が結合され、例えば炭素繊維板である。上記炭素繊維板の比重が約1.8ｇ／cm3である。上記ヘッド本体は通常としてチタンなどの金属または合金により製成され、チタンの比重が約4.5ｇ／cm3である。そのため、ヘッド本体のクラウン部の一部分の代わりに炭素繊維板を利用した組立構造により、ゴルフクラブヘッドの全体の重心位置を下方および後方へ調整するのに役立つことができるため、ゴルフクラブヘッドの慣性モーメントと打球の性能を増やすことができるようにとしたものがある（例えば、特許文献１を参照）。
【特許文献１】日本特許公開番号第２００３−１１１８７４号
【発明の開示】
【発明が解決しようとする課題】
【０００３】
上記のような従来のゴルフクラブヘッドの構造においては、上記炭素繊維板の材質について言えば、上記炭素繊維板は上記ヘッド本体とはより大きい比重の差を形成することができないため、上記ヘッド本体の全体による重心の位置を有効的に低く抑えることができない。さらに、上記炭素繊維板は真っ黒で不透明状に形成されるため、その外観において多様な変化を施すことができず、そのために一般として上記炭素繊維板においては焼付ワニスを利用して外観を修飾するしかない。そのため、上記のような従来のゴルフクラブヘッドの構造をさらに改良しなければならない。
【０００４】
本発明はこのような問題点に鑑みて発明したものであって、その目的とするところは、透明な軽質カバーを利用してヘッド本体のクラウン部に組み立て、透明な軽質カバーの比重は1.5ｇ／cm3より低いため、ヘッド本体の上半部の重量を有効に減らすことができると同時に、透明な軽質カバーの内面またはヘッド本体の内部において例えば適当な文字、図案、符号、商標などの標示が形成されることにより、重心調整の自由度を確実に増やすと共に、ゴルフクラブヘッドの視覚の効果を高めることができ、さらにゴルフクラブヘッドの付加価値を高めることができるゴルフクラブヘッドの組立構造を提供しようとするものである。
【０００５】
本発明の第一の目的は、透明な軽質カバーを利用してヘッド本体のクラウン部に組み立てることにより、ヘッド本体の上半部の重量を有効に減らすことができるため、重心調整の自由度を増やすと共に、ゴルフクラブヘッドの慣性モーメントを延ばすことができるゴルフクラブヘッドの組立構造を提供しようとするものである。
【０００６】
本発明の第二の目的は、透明な軽質カバーを利用してヘッド本体のクラウン部に組み立て、透明な軽質カバーの内面とヘッド本体の内部には例えば適当な文字、図案、符号、商標などの標示が形成されることにより、ゴルフクラブヘッドの視覚の効果を高めると共に、ゴルフクラブヘッドの付加価値を高めることができるゴルフクラブヘッドの組立構造を提供しようとするものである。
【０００７】
本発明の第三の目的は、透明な軽質カバーを利用してヘッド本体のクラウン部に組み立て、透明な軽質カバーは凸面鏡状または凹面鏡状に形成され、さらにヘッド本体の内部には例えば適当な標示が形成されることにより、ゴルフクラブヘッドの視覚の効果を高めると共に、ゴルフクラブヘッドの付加価値を高めることができるゴルフクラブヘッドの組立構造を提供しようとするものである。
【０００８】
上記目的を達成するために、本発明によるゴルフクラブヘッドの組立構造は、下記のようになるものである。すなわち、
ヘッド本体、少なくとも一個の開口部および少なくとも一個の透明な軽質カバーにより構成される。ヘッド本体にはフェース板とホーゼルが設けられ、フェース板はゴルフボールを打球するのに用いられ、ホーゼルはゴルフクラブのシャフトと結合するのに用いられる。少なくとも一個の開口部は少なくともヘッド本体のクラウン部に形成され、開口部の内周縁には階段状部が形成される。少なくとも一個の透明な軽質カバーは比重が1.5ｇ／cm3より小さい透明な軽質材料により製成され、さらに透明な軽質カバーの形状はヘッド本体の開口部の形状に対応するように形成される。透明な軽質カバーが開口部の階段状部に結合された時、透明な軽質カバーによりヘッド本体の上半部の重量を有効に減らすことができるため、ゴルフクラブヘッドの全体の重心位置を下方および後方へ調整するのに役立つことができる。
【０００９】
本発明によるゴルフクラブヘッドの組立構造は、ヘッド本体には他に少なくとも一個の収容室が設けられ、収容室はヘッド本体の底部の後側に形成されることにより、収容室には少なくとも一個の重りが収容されることもできる。また、開口部はヘッド本体のクラウン部からトウ部へ延伸するように形成されることもできる。また、開口部はヘッド本体のクラウン部からヒール部へ延伸するように形成されることもできる。また、開口部はヘッド本体のクラウン部からソール部へ延伸するように形成されることもできる。また、透明な軽質カバーは結晶性、非結晶性のエンジニアリングプラスチックから選択することができ、例えばポリエーテルイミド（ＰＥＩ）、ポリエーテルスルホン（ＰＥＳ）、ポリフェニレンサルファイド（ＰＰＳ）、ポリフタルアミド（ＰＰＡ）、ポリエーテルケトン（ＰＥＫ）、ポリエーテルエーテルケトン（ＰＥＥＫ）から選択することもできる。また、ヘッド本体には内部空間が形成され、内部空間には内周壁において標示ゾーンが形成されることもできる。また、標示ゾーンは例えばインク印刷、ウォータージェット彫刻、機械彫刻、レーザー彫刻、ショットブラスト、貼り紙、一体鋳造の方式により製成されることもできる。また、透明な軽質カバーの内面には標示ゾーンが形成されることもできる。また、標示ゾーンは例えばインク印刷、レーザー彫刻、ショットブラスト、貼り紙、一体射出成形の方式により製成されることもできる。また、開口部は階段状部から延伸して少なくとも一個の支持リブが形成されることもできる。また、支持リブの外表面には他に標示ゾーンが形成されることもできる。また、標示ゾーンは例えばインク印刷、ウォータージェット彫刻、機械彫刻、レーザー彫刻、ショットブラスト、貼り紙、一体鋳造の方式により製成されることもできる。また、透明な軽質カバーは例えば色を有した透明な軽質材料により製成されることもできる。また、透明な軽質カバーは例えば凸面鏡状に形成されることもできる。また、透明な軽質カバーは例えば凹面鏡状に形成されることもできる。
【発明の効果】
【００１０】
本発明のゴルフクラブヘッドの組立構造によれば、透明な軽質カバーを利用してヘッド本体のクラウン部に組み立てることにより、ヘッド本体の上半部の重量を有効に減らすことができるため、重心調整の自由度を増やすと共に、ゴルフクラブヘッドの慣性モーメントを延ばすことができるという利点がある。
【００１１】
本発明のゴルフクラブヘッドの組立構造によれば、透明な軽質カバーを利用してヘッド本体のクラウン部に組み立て、透明な軽質カバーの内面とヘッド本体の内部には例えば適当な文字、図案、符号、商標などの標示が形成されることにより、ゴルフクラブヘッドの視覚の効果を高めると共に、ゴルフクラブヘッドの付加価値を高めることができるという利点がある。
【００１２】
本発明のゴルフクラブヘッドの組立構造によれば、透明な軽質カバーを利用してヘッド本体のクラウン部に組み立て、透明な軽質カバーは凸面鏡状または凹面鏡状に形成され、さらにヘッド本体の内部には例えば適当な標示が形成されることにより、ゴルフクラブヘッドの視覚の効果を高めると共に、ゴルフクラブヘッドの付加価値を高めることができるという利点がある。
【発明を実施するための最良の形態】
【００１３】
本発明の実施の形態について、以下、図面を参照して説明する。
【実施例１】
【００１４】
図１を参照すると、本発明の実施例１のゴルフクラブヘッドの組立構造にはヘッド本体１および少なくとも一個の透明な軽質カバー２が含まれる。ヘッド本体１は比重が比較的大きい金属、合金材料により製成され、例えば炭素鋼、ステンレス鋼、フェロ−マンガン−アルミ合金とチタン合金などで、その比重は通常として3.5ｇ／cm3より大きい。ヘッド本体１は例えば一体成形または組立の方式により製成されることができる。ヘッド本体１にはフェース板１１、ホーゼル１２と少なくとも一個の開口部１３が適当に設けられる。フェース板１１はヘッド本体１の正面に形成されると共に、フェース板１１はゴルフボールを打球するのに用いられる。ホーゼル１２はフェース板１１の片側に形成されると共に、ゴルフクラブのシャフトと結合するのに用いられる。開口部１３は少なくともヘッド本体１のクラウン部（crown）に設けられると同時に、好ましくはヘッド本体１のトウ部（toe）、ヒール部（heel）とソール部（sole）に向かって延伸するように形成される。開口部１３の内周縁には他に階段状部１３０が形成され、階段状部１３０は透明な軽質カバー２が結合するのに用いられる。また、ヘッド本体１には内部空間１０が形成され、内部空間１０には好ましくは適当な内周壁の位置（例えばソール板の内周壁）において標示ゾーン１５が形成され、標示ゾーン１５は例えばインク印刷、ウォータージェット彫刻、機械彫刻、レーザー彫刻、ショットブラスト、貼り紙、一体鋳造の方式により製成される。標示ゾーン１５には適当な文字、図案、符号、商標などの標示が含まれる。
【００１５】
再び図１を参照すると、本発明の実施例１の透明な軽質カバー２は比重が1.5ｇ／cm3より小さい透明な軽質材料により製成されると共に、好ましくは透明なプラスチック材料により製成され、例えば結晶性または非結晶性のエンジニアリングプラスチックから選択することができる。上記エンジニアリングプラスチックは例えばポリエーテルイミド（polyetherimide，ＰＥＩ）、ポリエーテルスルホン（polyethersulfone，ＰＥＳ）、ポリフェニレンサルファイド（polyphenylenesulfide，ＰＰＳ）、ポリフタルアミド（polyphthalamide，ＰＰＡ）、ポリエーテルケトン（polyetherketone，ＰＥＫ）、ポリエーテルエーテルケトン（polyether ether ketone，ＰＥＥＫ）などの化合樹脂から選択することができ、上記化合樹脂の比重は1.45から0.9ｇ／cm3の間に介在すると共に、150℃以上の温度に耐えることができる。透明な軽質カバー２の形状はヘッド本体１の開口部１３の形状に対応するように形成される。
【００１６】
再び図１を参照すると、組立時において透明な軽質カバー２はエポキシ樹脂（epoxy）などの適当な粘着剤を利用してヘッド本体１の開口部１３の階段状部１３０に結合することができる。組立後において、透明な軽質カバー２とヘッド本体１の材質の間には比較的大きい比重の差を有するように形成されることにより、透明な軽質カバー２により重心調整の自由度を増やすことができるため、ゴルフクラブヘッドの上半部の重量を減らすことができ、さらにゴルフクラブヘッドの全体の重心位置を下方と後方へ大幅に調整するのに役立つことができると共に、ゴルフクラブヘッドの慣性モーメントの長さを相対的に増やすことができる。また、透明な軽質カバー２は可撓性を有すると共に、ヘッド本体１のヒール部、トウ部およびソール部に向かって延伸するように形成されるため、ヘッド本体１のクラウン部とヒール部、トウ部およびソール部の間には屈曲のクッション空間が形成されるため、ヘッド本体１とフェース板１１の弾性変形の能力を高めることができる。
【００１７】
他に、透明な軽質カバー２は透明性を有するように形成されることにより、使用者はヘッド本体１の内部空間１０の標示ゾーン１５を直接目視して透視することができるため、ゴルフクラブヘッドの完成品は特殊的な透視可能の視覚効果を有するように形成される。さらに、製品の需要性に応じて、透明な軽質カバー２は例えば色を有した透明な材質により製成することができ、或いは例えば凸面鏡状または凹面鏡状から製成することにより、拡大または縮小による透視の効果を獲得することができる。
【実施例２】
【００１８】
図２を参照すると、本発明の実施例２のゴルフクラブヘッドの組立構造が掲示される。実施例１と比較すると、実施例２においては例えば透明な軽質カバー２の内面には標示ゾーン２１が形成され、さらに透明な軽質カバー２は例えばヘッド本体１のヒール部とトウ部に向かって延伸するように形成される。標示ゾーン２１は例えばインク印刷、レーザー彫刻、ショットブラスト、貼り紙、一体射出成形の方式により製成される。標示ゾーン２１には同様に適当な文字、図案、符号、商標などの標示が含まれるが、さらに反射光またはレーザーによる屈折の効果を有した標示を形成することができる。これにより、本発明においてはヘッド本体１の内部空間１０の加工修飾の作業を簡単にすることができ、さらに透明な軽質カバー２により同様にゴルフクラブヘッドの重心調整の自由度と視覚の効果を増やすことができる。また、ヘッド本体１の底部の後側には収容室１４が形成され、収容室１４に重り３を収容することができる。重り３は比重が比較的大きい金属または合金材料により製成され、例えばタングステン−フェロ−ニッケル合金により製成される。重り３は好ましくはしまりばめによる嵌設または溶接の方式によって収容室１４の内部に結合されるため、ゴルフクラブヘッドの全体の重心をさらに低くすることができる。
【実施例３】
【００１９】
図３を参照すると、本発明の実施例３のゴルフクラブヘッドの組立構造が掲示される。実施例１と比較すると、実施例３において開口部１３は階段状部１３０から延伸して少なくとも一個の支持リブ１３１が形成され、支持リブ１３１の外表面には例えば標示ゾーン１３２が形成される。標示ゾーン１３２は例えばインク印刷、ウォータージェット彫刻、機械彫刻、レーザー彫刻、ショットブラスト、粘着標示または一体鋳造などの方式により製成される。標示ゾーン１３２にも適当な文字、図案、符号、商標などの標示が含まれる。これにより、透明な軽質カバー２により比較的よい結合の強度を獲得することができると共に、透明な軽質カバー２により同様にゴルフクラブヘッドの重心調整の自由度と視覚の効果を増やすことができる。
【実施例４】
【００２０】
図４を参照すると、本発明の実施例４のゴルフクラブヘッドの組立構造が掲示される。実施例１と比較すると、実施例４においてヘッド本体１はクラウン部から二個の開口部１３ａ、１３ｂが形成される。二個の開口部１３ａ、１３ｂにはそれぞれ階段状部１３０が設けられることにより、それぞれ透明な軽質カバー２ａ、２ｂと結合することができる。開口部１３ａはヘッド本体１のクラウン部からトウ部に向かって延伸するように形成される。開口部１３ｂはヘッド本体１のクラウン部からヒール部に向かって延伸するように形成される。ヘッド本体１の内部空間１０にも同様に加工により標示ゾーン１５が形成され、または標示ゾーン１５は例えば透明な軽質カバー２ａ、２ｂの内面に形成される。これにより、透明な軽質カバー２は比較的よい側面視の角度を有するように形成されると共に、透明な軽質カバー２により同様にゴルフクラブヘッドの重心調整の自由度と視覚の効果を増やすことができる。
【産業上の利用可能性】
【００２１】
上述の如く、従来のゴルフクラブヘッドの構造によれば、炭素繊維板はヘッド本体とは比較的大きい比重の差を有するように形成することができないため、重心の位置を調整することができないという問題点があったが、図１に示す本発明のゴルフクラブヘッドの組立構造によれば、透明な軽質カバー２を利用することにより、さらに標示ゾーン１５、２１、１３２が形成されることにより、ゴルフクラブヘッドの上半部の重量を確実かつ大幅に減らすことができるため、全体の重心の位置を有効に低くし、重心調整の自由度を増やし、視覚の効果を増やし、さらにゴルフクラブヘッドの付加価値を高めることができる。
【００２２】
本発明は、その精神及び必須の特徴事項から逸脱することなく他のやり方で実施することができる。従って、本明細書に記載した好ましい実施例は例示的なものであり、限定的なものではない。
【図面の簡単な説明】
【００２３】
【図１】本発明の実施例１のゴルフクラブヘッドの組立構造を示す分解斜視図である。
【図２】本発明の実施例２のゴルフクラブヘッドの組立構造を示す分解斜視図である。
【図３】本発明の実施例３のゴルフクラブヘッドの組立構造を示す分解斜視図である。
【図４】本発明の実施例４のゴルフクラブヘッドの組立構造を示す分解斜視図である。
【符号の説明】
【００２４】
１    ヘッド本体                      １０    内部空間
１１    フェース板                      １２    ホーゼル
１３    開口部                          １３ａ    開口部
１３ｂ    開口部                      １３０    階段状部
１３１    支持リブ                      １３２    標示ゾーン
１４    収容室                          １５    標示ゾーン
２    透明な軽質カバー                  ２ａ    透明な軽質カバー
２ｂ    透明な軽質カバー              ２１    標示ゾーン
３    重り
【図１】
2006020817.tif 000003
【図２】
2006020817.tif 000004
【図３】
2006020817.tif 000005
【図４】
2006020817.tif 000006